(57)【要約】【課題】ワタリ巾やスソ巾が異なる様々なサイズのものを容易に製造可能なズボンを提供する。【解決手段】前身頃２が、前部右足側布材１１と前部左足側布材１２とを縫い合わせて形成されている。後身頃３が、後部右足側布材１３と後部左足側布材１４とを縫い合わせて形成されている。前身頃２および後身頃３は、股下で互いに縫い合わされている。細長い１対の脇布材４が、それぞれ前身頃２および後身頃３の左右両脇で、一方の側部４ａが前身頃２の脇に沿って縫い合わされ、他方の側部４ｂが後身頃３の脇に沿って縫い合わされている。各脇布材４は、前身頃２と後身頃３とを左右両脇で分離可能に、長さ方向に沿って縦断するファスナー１５を有している。【選択図】図１
0003138911.tif 000002
【実用新案登録請求の範囲】
【請求項１】
前身頃と後身頃と１対の脇布材とを有し、
前記前身頃および前記後身頃は股下で互いに縫い合わされており、
各脇布材は細長い布材から成り、それぞれ前記前身頃および前記後身頃の左右両脇で、一方の側部が前記前身頃の脇に沿って縫い合わされ、他方の側部が前記後身頃の脇に沿って縫い合わされていることを、
特徴とするズボン。
【請求項２】
前記前身頃および前記後身頃は、それぞれ反物を裁断して成る右足側布材と左足側布材とを縫い合わせて形成されており、
各脇布材は、前記前身頃と前記後身頃とを左右両脇で分離可能に長さ方向に沿って縦断するファスナーを有していることを、
特徴とする請求項１記載のズボン。
【考案の詳細な説明】
【技術分野】
【０００１】
本考案は、ズボンに関する。
【背景技術】
【０００２】
一般的に、サイズを調整可能なズボンとして、ウエストサイズを調整できるものがある（例えば、特許文献１参照）。しかし、従来、ズボンのワタリ巾やスソ巾を調整できるものはなく、前身頃や後身頃にサイズ毎に大きさの異なる布を使用して、ワタリ巾やスソ巾が異なる様々なサイズのズボンを製造していた。
【０００３】
【特許文献１】登録実用新案第３０４８８６２号公報
【考案の開示】
【考案が解決しようとする課題】
【０００４】
しかしながら、前身頃や後身頃にサイズ毎に大きさの異なる布を使用する場合、前身頃や後身頃といった複雑な形状の部位に対して、さまざまなサイズの布を準備しなければならず、製造工程が複雑になるという課題があった。
【０００５】
本考案は、このような従来の課題に着目してなされたもので、ワタリ巾やスソ巾が異なる様々なサイズのものを容易に製造可能なズボンを提供することを目的とする。
【課題を解決するための手段】
【０００６】
上記目的を達成するために、本考案に係るズボンは、前身頃と後身頃と１対の脇布材とを有し、前記前身頃および前記後身頃は股下で互いに縫い合わされており、各脇布材は細長い布材から成り、それぞれ前記前身頃および前記後身頃の左右両脇で、一方の側部が前記前身頃の脇に沿って縫い合わされ、他方の側部が前記後身頃の脇に沿って縫い合わされていることを、特徴とする。
【０００７】
本考案に係るズボンでは、各脇布材の巾を変えることにより、ワタリ巾やスソ巾が異なる様々なサイズのものを製造することができる。このため、ワタリ巾やスソ巾のサイズが異なるものを製造するとき、前身頃や後身頃の形状を変える必要がなく、製造工程を簡略化することができ、製造が容易である。
【０００８】
本考案に係るズボンで、前記前身頃および前記後身頃は、それぞれ反物を裁断して成る右足側布材と左足側布材とを縫い合わせて形成されており、各脇布材は、前記前身頃と前記後身頃とを左右両脇で分離可能に長さ方向に沿って縦断するファスナーを有していることが好ましい。この場合、各脇布材でズボンのワタリ巾やスソ巾のサイズを調節することにより、前身頃および後身頃の右足側布材と左足側布材とをそれぞれ所定の巾にすることができる。従来、反物を裁断してズボンを製造しようとすると、ワタリ巾に限界があったが、各脇布材の巾を調節することにより、反物を使用したときにもワタリ巾やスソ巾のサイズが異なるものを製造することができる。このため、着物生地のズボンの製造が容易である。また、ファスナーにより前身頃と後身頃とを左右両脇で分離することにより、立ったままでも容易に着脱することができ、足が不自由な身体障害者でも着用しやすい。
【考案の効果】
【０００９】
本考案によれば、ワタリ巾やスソ巾が異なる様々なサイズのものを容易に製造可能なズボンを提供することができる。
【考案を実施するための最良の形態】
【００１０】
以下、図面に基づき本考案の実施の形態について説明する。
図１および図２は、本考案の実施の形態のズボンを示している。
図１および図２に示すように、ズボン１は、前身頃２と後身頃３と１対の脇布材４とを有している。
【００１１】
図２（ａ）に示すように、前身頃２は、同じ大きさの前部右足側布材１１と前部左足側布材１２とから成っている。図１（ａ）に示すように、前部右足側布材１１および前部左足側布材１２は、それぞれ前方股上側縁部１１ａ，１２ａで互いに縫い合わされている。
【００１２】
図２（ｂ）に示すように、後身頃３は、同じ大きさの後部右足側布材１３と後部左足側布材１４とから成っている。図１（ｂ）に示すように、後部右足側布材１３および後部左足側布材１４は、それぞれ後方股上側縁部１３ａ，１４ａで互いに縫い合わされている。
【００１３】
前身頃２および後身頃３は、股下で互いに縫い合わされている。すなわち、図１（ｂ）に示すように、前身頃２の前部右足側布材１１の内股側股下側縁部１１ｂと、後身頃３の後部右足側布材１３の内股側股下側縁部１３ｂとが縫い合わされ、前身頃２の前部左足側布材１２の内股側股下側縁部１２ｂと、後身頃３の後部左足側布材１４の内股側股下側縁部１４ｂとが縫い合わされている。なお、前身頃２および後身頃３は、上端のウエスト部２ａ，３ａが内側に折り返され、その折り返しの内側に帯ゴムが挿入されて縫い付けられている。
【００１４】
図２に示すように、各脇布材４は、細長い布材から成り、幅方向の中央部に長さ方向に沿って一端から他端まで縦断するファスナー１５を有している。図１に示すように、各脇布材４は、それぞれ前身頃２および後身頃３の左右両脇に設けられている。図１に示すように、各脇布材４は、一方の側部４ａが前身頃２のそれぞれ前部右足側布材１１または前部左足側布材１２の脇側側縁部１１ｃ，１２ｃに沿って縫い合わされ、他方の側部４ｂが後身頃３のそれぞれ後部右足側布材１３または後部左足側布材１４の脇側側縁部１３ｃ，１４ｃに沿って縫い合わされている。各脇布材４は、ファスナー１５により、前身頃２と後身頃３とを左右両脇で分離可能になっている。
【００１５】
なお、前身頃２の前部右足側布材１１および前部左足側布材１２、後身頃３の後部右足側布材１３および後部左足側布材１４、ならびに各脇布材４は、代表的に巾約３６ｃｍの反物を裁断して形成されている。前身頃２、後身頃３および各脇布材４は、互いにズボン１の内面側で縫い合わされている。ズボン１は、内面側に裏地材が縫い付けられている。
【００１６】
次に、作用について説明する。
ズボン１では、各脇布材４の巾を変えることにより、ワタリ巾やスソ巾が異なる様々なサイズのものを製造することができる。このため、ワタリ巾やスソ巾のサイズが異なるものを製造するとき、前身頃２の前部右足側布材１１および前部左足側布材１２、ならびに、後身頃３の後部右足側布材１３および後部左足側布材１４として、それぞれ所定の巾を有する同じ形状のものを使用することができる。このため、製造工程を簡略化することができ、製造が容易である。
従来、反物を裁断してズボンを製造しようとすると、ワタリ巾に限界があったが、各脇布材４の巾を調節することにより、反物を使用したときにもワタリ巾やスソ巾のサイズが異なるものを製造することができる。このため、着物生地のズボンの製造が容易である。ズボン１は、ファスナー１５により前身頃２と後身頃３とを左右両脇で分離することにより、立ったままでも容易に着脱することができ、足が不自由な身体障害者でも着用しやすい。
【図面の簡単な説明】
【００１７】
【図１】本考案の実施の形態のズボンを示す（ａ）正面図、（ｂ）背面図、（ｃ）右側面図である。
【図２】図１に示すズボンの（ａ）前身頃の前部右足側布材または前部左足側布材を示す正面図、（ｂ）後身頃の後部右足側布材または後部左足側布材を示す正面図、（ｃ）脇布材を示す正面図である。
【符号の説明】
【００１８】
１    ズボン
２    前身頃
３    後身頃
４    脇布材
１１  前部右足側布材
１２  前部左足側布材
１３  後部右足側布材
１４  後部左足側布材
１５  ファスナー
【図１】
0003138911.tif 000003
【図２】
0003138911.tif 000004